(57)【要約】【課題】   検眼の際に用いるテストレンズを嵌め込む検眼テストレンズ用リング枠は、その本体であるリング部とつまみ片とからなるが、従来においてはリング部とつまみ片とが共に金属製であり、材料費及び加工費が高く、低コストで提供することは困難であった。【解決手段】  テストレンズを嵌め込むリング部と、該リング部の上部外縁に突設されたつまみ片とからなる検眼テストレンズ用リング枠において、リング部とつまみ片とをショアＤ硬度７０以上の硬質合成樹脂により一体的に成形すると共に、つまみ片の下方のリング部に切れ目を設け、リング部にテストレンズを嵌め込んだ後、前記切れ目の両端を締結具で結合せしめることにより、リング部にテストレンズを固定する様にした。【選択図】  図３
2015016001.tif 000002
【特許請求の範囲】
【請求項１】
テストレンズを嵌め込むリング部と、該リング部の上部外縁に突設されたつまみ片とからなる検眼テストレンズ用リング枠において、リング部とつまみ片とをショアＤ硬度７０以上の硬質合成樹脂により一体的に成形すると共に、つまみ片の下方のリング部に切れ目を設け、リング部にテストレンズを嵌め込んだ後、前記切れ目の両端を締結具で結合せしめることにより、リング部にテストレンズを固定する様にしたことを特徴とする検眼テストレンズ用リング枠。
【発明の詳細な説明】
【技術分野】
【０００１】
この発明は、検眼テストレンズ用リング枠、詳しくは、テストレンズを嵌め込み、検眼用トライアルフレームに装着して検眼作業に用いる検眼テストレンズ用のリング枠に関するものである。
【背景技術】
【０００２】
テストレンズはトアイラルレンズとも呼ばれ、メガネ調製の際にはなくてはならぬものであり、円環状をなしたリング枠に嵌め込んだ状態でトライアルフレームに装着して検眼の用に供する。
そして、この検眼テストレンズ用リング枠の外縁上部には、つまみ片が取り付けられており、このつまみ片を指で摘んで、トライアルフレームへの着脱を行う様になっている。
【先行技術文献】
【特許文献】
【０００３】
【特許文献１】なし
【非特許文献】
【０００４】
【非特許文献１】なし
【発明の概要】
【発明が解決しようとする課題】
【０００５】
一般的な検眼テストレンズ用リング枠においては、テストレンズが嵌め込まれるリング部と、その上部のつまみ片は共に金属で構成されており、リング部につまみ片をロー付け固定した後、全体にメッキを施すなどして完成品としていた。しかしながら、これら従来の検眼テストレンズ用リング枠は、材料費が高い上に組み立て作業に手間がかかるので、高価にならざるを得ないという問題があった。
【０００６】
メガネ小売店においては、予めリング枠に嵌め込まれた厖大な数のテストレンズを検眼作業の為に用意しておかなければならず、検眼テストレンズ用リング枠の製品単価は検眼作業のコストにも直接影響する為、コストダウンの要求は従来から大きかった。この要求に応える為、つまみ片を材料費が安くて大量生産に向く合成樹脂成形品とし、これを金属製のリング部に取り付けたものも提案されたが、２種類の素材を組合せるので、やはり構造が複雑である点は否めず、コスト的に到底満足出来るものではなかった。
【０００７】
本発明者は、検眼テストレンズ用リング枠に関する上記従来の問題点を解決すべく研究を行った結果、材料費が安く、組立が容易で低コストで生産出来る安価な検眼テストレンズ用リング枠を開発することに成功し、本発明として、ここに提案するものである。
【課題を解決するための手段】
【０００８】
テストレンズを嵌め込むリング部と、該リング部の上部外縁に突設されたつまみ片とからなる検眼テストレンズ用リング枠において、リング部とつまみ片とをショアＤ硬度７０以上の硬質合成樹脂により一体的に成形すると共に、つまみ片の下方のリング部に切れ目を設け、リング部にテストレンズを嵌め込んだ後、前記切れ目の両端を締結具で結合せしめることにより、リング部にテストレンズを固定する様にして、上記課題を解決した。
【発明の効果】
【０００９】
リング部の切れ目を拡げ、リング部の内径側にテストレンスを嵌め込み、切れ目の両側の端部を重ね合せ、両端にネジやハトメなどの締結具を挿入してこれを締め上げて、テストレンズをリング部に固定する。この状態において、つまみ片を指で摘んで、トライアルフレームに装着して検眼の用に供する。
【００１０】
リング部とつまみ片は合成樹脂により一体成形されているので、組立が容易で、材料費及び製造費を安く押さえられると共に、合成樹脂材に顔料を混入することにより簡単に彩色することが出来るので、テストレンズの種類別に色彩が変えられ、色分けによりテストレンズの識別を容易にして検眼作業の能率向上に資する効果を有する。
【図面の簡単な説明】
【００１１】
【図１】この発明に係る検眼テストレンズ用リング枠の実施例１の正面図。
【図２】図１の要部の部分拡大正面図。
【図３】同じく、検眼テストレンズ用リング枠を嵌め込む前の状況を示した正面図。
【図４】同じく、検眼テストレンズを嵌め込み、締結具で結合しようとしている状況の断面図。
【図５】洋なし形をなした検眼テストレンズを装着する場合の他の実施例の正面図。
【発明を実施するための形態】
【００１２】
テストレンズを嵌め込むリング部と、該リング部の上部外縁に突設されているつまみ片とからなる検眼テストレンズ用リング枠において、ショアＤ硬度７０以上の硬質合成樹脂によりリング部とつまみ片を一体成形した点に最大の特徴が存する。
【実施例１】
【００１３】
図中１は、この検眼テストレンズ用リング枠の主要構成要素の一つであるリングであり、上部に設けられた切れ目４によって左右に分断された略円環状をなし、その内径側周壁にはテストレンズ２の外縁が嵌め込まれるＶ字形断面の薬研が形成されており、切断箇所の一方の端面寄りの外縁からは、ヘラ形をなしたつまみ片５が、もう一方の端面寄りの外縁からは、直方体状の小突起６がそれぞれ上方に向かって一体的に延設されている。
【００１４】
これらリング部１とつまみ片５は、ショアＤ硬度７０以上の硬質合成樹脂を素材とし、射出成形などの手法により一体的に成形されたものであり、硬質合成樹脂素材としてポリアミド樹脂が好適に使用出来る。なお、ポリカーボネート樹脂は折れやすく、又、合成樹脂が軟質の場合は、つまみ片５を曲げた際に、それに追従してリング部１が歪んでしまい、テストレンズ２がはずれやすいので、共に好ましくない。
【００１５】
そして、前記つまみ片５の基部及び小突起６のそれぞれの側面からは、両者を貫く長孔７が横方向に形成されており、この長孔７にネジやハトメなどの締結具８を通し、これを締め上げることにより、切れ目４によって左右に分断された部分を結合する様になっている。
【００１６】
なお、テストレンズ２は、図３に示す様に、通常円形であるので、リング１も円形の輪郭をなしているのが普通であるが、遠近両用メガネ用のテストレンズ２は、図５に示す様に、洋なし形をなしている場合が多く、その場合にはリング部１も図５に示す様に洋なし形の輪郭のものとなる。
【００１７】
又、リング部１及びつまみ片５の素材となる合成樹脂材に所望の色彩の顔料を混入し、これらを彩色しても良く、この場合にはテストレンズ１の種類に応じて色彩を変えることにより、色分けによってテストレンズ２の分類、識別を行うことが出来る。
【００１８】
この実施例は上記の通りの構成を有するものであり、図３に示す様に、リング部１の切れ目４を拡げ、リング部１の内径側にテストレンス２を嵌め込み、図４に示す様に、切れ目４の両側の端部を重ね合せ、つまみ片５の基部と小突起６に設けられている長孔７にネジやハトメなどの締結具８を挿入してこれを締め上げて、テストレンズ２をリング部１に固定する。この状態において、つまみ片５を指でつまんで、トライアルフレーム（図示省略）に装着して検眼の用に供する。
【００１９】
リング１とつまみ片５とは合成樹脂により一体成形されているので、組立が容易で、材料費及び製造費を安く押さえられると共に、彩色することが出来るので、テストレンズの種類別に色彩が変えられ、色分けによりテストレンズの識別が容易になるので、検眼作業の能率向上に資する効果を有し、高い実用性を有している。
【産業上の利用可能性】
【００２０】
近視用、遠視用、乱視用だけではなく、遠近両用メガネ用のテストレンズにも、もちろん利用可能である。
【符号の説明】
【００２１】
１．リング枠
２．テストレンズ
４．切れ目
５．つまみ片
６．小突起
７．長孔
８．締結具
【図１】
2015016001.tif 000003
【図２】
2015016001.tif 000004
【図３】
2015016001.tif 000005
【図４】
2015016001.tif 000006
【図５】
2015016001.tif 000007